(57)【要約】【課題】  特に大判カメラ用ズームレンズにおいて、倍率色収差のズーム変動を良好に抑制し、広角端から望遠端までの全ズーム範囲において高い光学性能を有するズームレンズ及びそれを有する撮像装置を提供すること。【解決手段】  ズームレンズは、物体側から像側へ順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成され、後レンズ群はズーミングに際して移動するズーム移動後レンズ群を有し、後レンズ群の広角端の屈折力、ズーム移動後レンズ群の屈折力、ズーム移動後レンズ群から像側のレンズ群の広角端での無限遠合焦時の横倍率を適切に設定する。【選択図】  図１
2015212726.tif 000002
【特許請求の範囲】
【請求項１】
物体側から像側へ順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成され、前記後レンズ群はズーミングに際して移動するズーム移動後レンズ群を有し、前記後レンズ群の広角端の屈折力をφｒ_Ｗ、前記ズーム移動後レンズ群の屈折力をφｒｚ、前記ズーム移動後レンズ群から像側のレンズ群の広角端での無限遠合焦時の横倍率をβｒｚb_Ｗとするとき、
｜φｒｚ/φｒ_Ｗ｜＜０．９０
｜βｒｚb_Ｗ｜＜２．００
を満たすことを特徴とするズームレンズ。
【請求項２】
前記ズーム移動後レンズ群において、ズームストロークが半分となるズーム位置で、前記開口絞りから前記ズーム移動後レンズ群の最も物体側の面までの光軸上の距離をＬＦ_Ｍ、及び前記ズーム移動後レンズ群の最も像側の面から像面までの光軸上の距離をＬＲ_Ｍとするとき、
０．２０＜ＬＦ_Ｍ/ＬＲ_Ｍ＜０．７０
を満たすことを特徴とする請求項１に記載のズームレンズ。
【請求項３】
最も像側に配置された前記ズーム移動後レンズ群より像側のレンズ群の広角端での屈折力をφｒｚb_Ｗとするとき 
０．３０＜｜φｒｚb_Ｗ/φｒ_Ｗ｜＜３．００
を満たすことを特徴とする請求項１又は２に記載のズームレンズ。
【請求項４】
前記ズーム移動後レンズ群において、広角端で最も物体側面を通る軸上光線の高さをｈ１_Ｗ、及び最も像側面を通る軸上光線の高さをｈｋ_Ｗとするとき
０．７０ ＜ｈ１_Ｗ／ｈｋ_Ｗ＜ １．３０
を満たすことを特徴とする請求項１乃至３のいずれか１項に記載のズームレンズ。
【請求項５】
前記ズーム移動後レンズ群は、正レンズ及び負レンズを含むことを特徴とする請求項１乃至４のいずれか１項に記載のズームレンズ。
【請求項６】
前記ズーム移動後レンズ群は、広角端から望遠端へのズーミングに際して物体側から像側へ移動することを特徴とする請求項１乃至５のいずれか１項に記載のズームレンズ。
【請求項７】
前記ズーム移動後レンズ群の正レンズの屈折力の和をφｐ、前記ズーム移動後レンズ群の負レンズの屈折力の和をφｎ、前記ズーム移動後レンズ群の正レンズの平均アッベ数をνｐ、前記ズーム移動後レンズ群の負レンズの平均アッベ数をνｎとするとき
｜φｐ／νｐ＋φｎ／νｎ｜＜３．００×１０−３
を満たすことを特徴とする請求項１乃至６のいずれか１項に記載のズームレンズ。
【請求項８】
前記ズーム移動後レンズ群の正レンズの平均部分分散比をθｐ、前記ズーム移動後レンズ群の正レンズの平均アッベ数をνｐとするとき
−２０．０×１０−３＜θｐ−（−１.６２０×１０−３×νｐ＋０．６４０）
＜ １５．０×１０−３
を満たすことを特徴とする請求項１乃至７のいずれか１項に記載のズームレンズ。
【請求項９】
前記ズーム移動後レンズ群の負レンズの平均部分分散比をθｎ、前記ズーム移動後レンズ群の正レンズの平均アッベ数をνｐとするとき
−１５．０×１０−３＜θｎ−（−１.６２０×１０−３×νｎ＋０．６４０）
＜ ２０．０×１０−３
を満たすことを特徴とする請求項１乃至７のいずれか１項に記載のズームレンズ。
【請求項１０】
前記開口絞りより物体側のレンズ群で焦点調節を行うことを特徴とする請求項１乃至９のいずれか１項に記載のズームレンズ。
【請求項１１】
前記開口絞りはズーミングに際して移動しないことを特徴とする請求項１乃至１０のいずれか１項に記載のズームレンズ。
【請求項１２】
請求項１乃至１１のいずれか１項に記載のズームレンズと前記ズームレンズからの光を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、ビデオカメラ、デジタルスチルカメラ、銀塩写真用カメラ等に好適なものである。
【背景技術】
【０００２】
近年、テレビカメラや映画用カメラ、ビデオカメラ、写真用カメラ等の撮像装置には、映像表現の拡大のため浅い被写界深度や美しいボケ味を特徴とする大判カメラが用いられている。大判カメラに装着するズームレンズとして、撮影自由度の向上のため、高ズーム比、且つ高い光学性能を有したズームレンズが要望されている。高ズーム比のズームレンズとして、特許文献１、２で提案されているように最も物体側に正の屈折力のレンズ群を配置し、全体として４つ以上のレンズ群により構成されるポジティブリード型のズームレンズが知られている。
【先行技術文献】
【特許文献】
【０００３】
【特許文献１】特開２０１１−１７５１８５号公報
【特許文献２】特開２０１２−１５０２４８号公報
【発明の概要】
【発明が解決しようとする課題】
【０００４】
一般的に撮像装置のイメージサイズが大きくなると、それに応じて装着するズームレンズの軸外収差も大きくなる。従って、イメージサイズの大きな撮像装置に装着する場合には、特に画面周辺におけるズームレンズの光学性能が課題となる。
【０００５】
前述のポジティブリード型のズームレンズは、高ズーム比を達成するのが比較的容易である。しかしながら、特に大判カメラ用ズームレンズにおいて更なる高ズーム比を実現するには、倍率色収差などの軸外収差のズーム変動が増大し、高ズーム比と高性能を両立することが困難となる。
【０００６】
前述したポジティブリード型で、高ズーム比と高性能を実現するには、特に開口絞りよりも像側の軸外主光線の入射高の高さが高いレンズ群の屈折力を適切に設定することが重要である。
【０００７】
本発明では前述のポジティブリード型のズームレンズにおいて、倍率色収差のズーム変動を良好に抑制し、全ズーム範囲において高い光学性能を有するズームレンズの提供を目的とする。
【課題を解決するための手段】
【０００８】
本発明のズームレンズは、物体側から像側へ順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成され、後レンズ群はズーミングに際して移動するズーム移動後レンズ群を有し、後レンズ群の広角端の屈折力をφｒ_Ｗ、ズーム移動後レンズ群の屈折力をφｒｚ、前記ズーム移動後レンズ群から像側のレンズ群の広角端での無限遠合焦時の横倍率をβｒｚb_Ｗとするとき、
｜φｒｚ/φｒ_Ｗ｜＜０．９０
｜βｒｚb_Ｗ｜＜２．００
を満たすことを特徴としている。
【発明の効果】
【０００９】
本発明によれば、特に大判カメラ用ズームレンズにおいて、特に倍率色収差のズーム変動を効果的に抑制し、広角端から望遠端までの全ズーム範囲において高い光学性能を有するズームレンズ及びそれを有する撮像装置を得られる。
【図面の簡単な説明】
【００１０】
【図１】実施例１のズームレンズの広角端で無限遠合焦時のレンズ断面図である。
【図２】実施例１の無限遠合焦時の（Ａ）広角端、（Ｂ）ズーム移動後レンズ群のズームストロークが半分となる焦点距離４７７．７８ｍｍ、（Ｃ）望遠端における縦収差図である。
【図３】実施例２のズームレンズの広角端で無限遠合焦時のレンズ断面図である。
【図４】実施例２の無限遠合焦時の（Ａ）広角端、（Ｂ）最も像側のズーム移動後レンズ群のズームストロークが半分となる焦点距離２３５．２８ｍｍ、（Ｃ）望遠端における縦収差図である。
【図５】実施例３のズームレンズの広角端で無限遠合焦時のレンズ断面図である。
【図６】実施例３の無限遠合焦時での（Ａ）広角端、（Ｂ）ズーム移動後レンズ群のズームストロークが半分となる焦点距離６０１．２０ｍｍ、（Ｃ）望遠端における縦収差図である。
【図７】実施例４のズームレンズの広角端で無限遠合焦時のレンズ断面図である。
【図８】実施例４の無限遠合焦時でのそれぞれ（Ａ）広角端、（Ｂ）ズーム移動後レンズ群のズームストロークが半分となる焦点距離５４５．５４ｍｍ、（Ｃ）望遠端における縦収差図である。
【図９】アッベ数νｄと部分分散比θｇFの分布の模式図である。
【図１０】開口絞りより物体側に位置する正の屈折力のレンズ群による倍率色収差の２色の色消しと二次スペクトル残存に関する模式図である。
【図１１】開口絞りより物体側に位置する負の屈折力のレンズ群による倍率色収差の２色の色消しと二次スペクトル残存に関する模式図である。
【図１２】実施例１の５群ズームレンズのズーム移動後レンズ群Ｕ５２による望遠端における倍率色収差の２色の色消しと二次スペクトル残存に関する模式図である。
【図１３】実施例１の５群ズームレンズのそれぞれ（Ａ）広角端と（Ｂ）望遠端における無限物体に合焦しているときの近軸追跡の模式図である。
【図１４】実施例１の５群ズームレンズの第５レンズ群Ｕ５の広角端と望遠端の近軸追跡の模式図を示す。
【図１５】実施例１のそれぞれ（Ａ）広角端と（Ｂ）望遠端における無限物体に合焦しているときの光路図である。
【図１６】本発明の撮像装置の要部概略図である。
【発明を実施するための形態】
【００１１】
次に本発明のズームレンズの特徴について説明する。
【００１２】
本発明のズームレンズは、物体側から順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成される。後レンズ群は少なくとも１つのズーミングに際して移動するズーム移動後レンズ群を有する。前記後レンズ群の広角端の屈折力をφｒ_Ｗ、前記ズーム移動後レンズ群の屈折力をφｒｚ及びその前記ズーム移動後レンズ群から像側のレンズ群の広角端での無限遠合焦時の横倍率をβｒｚb_Ｗとするとき、
｜φｒｚ/φｒ_Ｗ｜＜０．９０  ・・・（１）
｜βｒｚb_Ｗ｜＜２．００      ・・・（２）
を満たしている。
【００１３】
ここで、本発明のズームレンズで用いている光学素子（レンズ）の材料の部分分散比とアッべ数は次の通りである。
フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとする。
【００１４】
アッべ数νｄとg線とＦ線に関する部分分散比θｇＦは以下の通りに与えられる。
νｄ＝（Ｎｄ−１）／（ＮＦ−ＮＣ）      ・・・式（Ａ）
θｇＦ＝（Ｎｇ−ＮＦ）／（ＮＦ−ＮＣ）  ・・・式（Ｂ）
【００１５】
又、軸上近軸光線及び瞳近軸光線は、次のように定義される光線である。軸上近軸光線は、光学系全系の広角端の焦点距離を１に規格化し、光学系に光軸と平行に、入射高を１として入射させた近軸光線である。瞳近軸光線は、光学系全系の広角端の焦点距離を１に規格化し、撮像面の最大像高に入射する光線の内、光学系の入射瞳と光軸との交点を通過する近軸光線である。物体は光学系の左側にあるものとし、物体側から光学系に入射する光線は左から右へ進むものとする。
【００１６】
図９はアッベ数νｄと部分分散比θｇＦの分布の模式図である。図９において点Ａは株式会社オハラ社製の製品名ＰＢＭ２（νｄ＝３６．２６、θｇＦ＝０．５８２８）の値を示す。点Ｂは株式会社オハラ社製の製品名ＮＳＬ７（νｄ＝６０．４９、θｇＦ＝０．５４３６）の値を示す。点Ａ、点Ｂを結んだ線を基準線とする。図９に示すように、現存する主な光学材料はνｄに対し部分分散比θｇＦが狭い範囲に分布しており、νｄが小さいほどθｇＦが大きい傾向を持っている。
【００１７】
所定の屈折力Φで、正の屈折力Φｐ、負の屈折力Φｎ、アッベ数νｐ、νｎ、軸上近軸光線の入射高ｈ、瞳近軸光線の入射高Ｈ、の２枚のレンズＧｐ、Ｇｎで構成される薄肉密着系の軸上色収差係数Ｌ、倍率色収差係数Ｔは、
Ｌ＝ｈ×ｈ×（Φｐ／νｐ＋Φｎ／νｎ）  ・・・式（Ｃ）
Ｔ＝ｈ×Ｈ×（Φｐ／νｐ＋Φｎ／νｎ）  ・・・式（Ｄ）
であらわされる。ここで、
Φ＝Φｐ＋Φｎ                          ・・・式（Ｅ）
とする。式（Ｃ）及び式（Ｄ）の各レンズの屈折力は、式（Ｅ）がΦ＝１となるように規格化されている。３枚以上で構成される場合も同様に考えることができる。式（Ｃ）及び式（Ｄ）において、Ｌ＝０及びＴ＝０とするとＣ線−Ｆ線の軸上及び像面上での結像位置が合致する。特に高倍率のズームレンズでは、ズーミングに伴う色収差変動を抑制するために、各レンズ群の色収差、すなわちＬ及びＴが概ねゼロ近傍となるように補正される。
【００１８】
この時、物体距離を無限遠として光束を入射した場合のＦ線に対するｇ線の軸上色収差のずれ量及び倍率色収差のずれ量を、それぞれ軸上色収差の二次スペクトル量Δｓ、倍率色収差の二次スペクトル量Δｙとして定義すると、
Δｓ＝−ｈ×ｈ×（θｐ−θｎ）／（νｐ−νｎ）×ｆ  ・・・式（Ｆ）
Δｙ＝−ｈ×Ｈ×（θｐ−θｎ）／（νｐ−νｎ）×Ｙ  ・・・式（Ｇ）
であらわされる。ここで、ｆはレンズ全系の焦点距離、Ｙは像高とする。
【００１９】
図１３（Ａ）、（Ｂ）は本発明のズームレンズの後述する数値実施例１の５群ズームレンズのそれぞれ広角端と望遠端における無限物体に合焦しているときの近軸追跡の模式図である。図１３（Ａ）、（Ｂ）では、各レンズ群を薄肉レンズで示している。図１３（Ａ）、（Ｂ）に示すように、所定の屈折力Φで、第５レンズ群が３つのレンズ群から構成される数値実施例１の５群ズームレンズのように７つの薄肉密着レンズ群から構成される。また、各レンズ群毎にＣ線−Ｆ線の軸上及び倍率色収差が補正された薄肉系の軸上色収差、倍率色収差の二次スペクトル量ΔＳ、ΔＹは、
ΔＳ＝{−ｈ１×ｈ１×（θｐ１−θｎ１）／（νｐ１−νｎ１）×Φ１
−ｈ２×ｈ２×（θｐ２−θｎ２）／（νｐ２−νｎ２）×Φ２
−ｈ３×ｈ３×（θｐ３−θｎ３）／（νｐ３−νｎ３）×Φ３
−ｈ４×ｈ４×（θｐ４−θｎ４）／（νｐ４−νｎ４）×Φ４
−ｈ５１×ｈ５１×（θｐ５１−θｎ５１）／（νｐ５１−νｎ５１）×Φ５１
−ｈ５２×ｈ５２×（θｐ５２−θｎ５２）／（νｐ５２−νｎ５２）×Φ５２
−ｈ５３×ｈ５３×（θｐ５３−θｎ５３）／（νｐ５３−νｎ５３）×Φ５３
}×ｆ                                                    ・・・式（Ｈ）
ΔＹ＝{−ｈ１×Ｈ１×（θｐ１−θｎ１）／（νｐ１−νｎ１）×Φ１
−ｈ２×Ｈ２×（θｐ２−θｎ２）／（νｐ２−νｎ２）×Φ２
−ｈ３×Ｈ３×（θｐ３−θｎ３）／（νｐ３−νｎ３）×Φ３
−ｈ４×Ｈ４×（θｐ４−θｎ４）／（νｐ４−νｎ４）×Φ４
−ｈ５１×Ｈ５１×（θｐ５１−θｎ５１）／（νｐ５１−νｎ５１）×Φ５１
−ｈ５２×Ｈ５２×（θｐ５２−θｎ５２）／（νｐ５２−νｎ５２）×Φ５２
−ｈ５３×Ｈ５３×（θｐ５３−θｎ５３）／（νｐ５３−νｎ５３）×Φ５３
}×Ｙ                                                    ・・・式（Ｉ）
と表わされる。ｆはレンズ全系の焦点距離、Ｙは像高とする。第１レンズ群〜第４レンズ群、第５１レンズ群〜第５３レンズ群の軸上近軸光線の入射高をｈ１、ｈ２、ｈ３、ｈ４、ｈ５１、ｈ５２、ｈ５３、瞳近軸光線の入射高をＨ１、Ｈ２、Ｈ３、Ｈ４、Ｈ５１、Ｈ５２、Ｈ５３とする。
【００２０】
第１レンズ群〜第４レンズ群、第５１レンズ群〜第５３レンズ群の正の屈折力のレンズの平均部分分散比をθｐ１、θｐ２、θｐ３、θｐ４、θｐ５１、θｐ５２、θｐ５３、負の屈折力のレンズの平均部分分散比をθｎ１、θｎ２、θｎ３、θｎ４、θｎ５１、θｎ５２、θｎ５３とする。
【００２１】
第１レンズ群〜第４レンズ群、第５１レンズ群〜第５３レンズ群の正の屈折力のレンズの平均分散をνｐ１、νｐ２、νｐ３、νｐ４、νｐ５１、νｐ５２、νｐ５３、負の屈折力のレンズの平均分散をνｎ１、νｎ２、νｎ３、νｎ４、νｎ５１、νｎ５２、νｎ５３とする。第１レンズ群〜第４レンズ群、第５１レンズ群〜第５３レンズ群の屈折力をΦ１、Φ２、Φ３、Φ４、Φ５１、Φ５２、Φ５３とする。式（Ｈ）及び式（Ｉ）の各レンズ群の屈折力はレンズ全系の屈折力が１となるように規格化されている。５群以上で構成される場合も同様に考えることができる。
【００２２】
図９において、正の屈折力のレンズ群Ｌｐでの色消しでは正レンズＧｐとしてアッベ数νｐの大きな材料、負レンズＧｎとしてνｎの小さな材料を用いる。従って式（Ｉ）より、正レンズＧｐはθｐが小さく、負レンズＧｎはθｎが大きくなって、Ｆ線とＣ線で色収差を補正すると、図１０に示すように正の屈折力のレンズ群Ｌｐが開口絞りよりも物体側に位置する場合、軸外ではｇ線の結像点が像高の低い方にずれる。二次スペクトル量ΔＳ及びΔＹは、図１３（Ｂ）に示すように望遠側において軸上近軸光線と瞳近軸光線の入射高が高い位置を通る数値実施例１の第１レンズ群Ｕ１で顕著に発生する。
【００２３】
図９において、負の屈折力のレンズ群Ｌｎでの色消しでは正レンズＧ１としてアッベ数ν１の小さな材料、負レンズＧ２としてν２の大きな材料を用いる。従って式（Ｉ）より、正レンズＧ１はθ１が大きく、負レンズＧ２はθ２が小さくなって、Ｆ線とＣ線で色収差を補正すると、図１１に示すように負の屈折力のレンズ群Ｌｎが開口絞りよりも物体側に位置する場合、軸外ではｇ線の結像点が像高の高い方にずれる。図１３（Ｂ）において、この現象は数値実施例１の５群ズームレンズの負の屈折力の第２レンズ群Ｕ２で発生する。
【００２４】
したがって、式（Ｉ）における第１項は負、第２項は正となり、第２レンズ群Ｕ２で発生する倍率色収差の二次スペクトル量の絶対値を増大させることにより、第１レンズ群Ｕ１で発生した倍率色収差の二次スペクトル量を効果的に補正できる。
【００２５】
数値実施例１では開口絞りより像側に位置する第５レンズ群内の一部のレンズ群（ズーム移動後レンズ群）をズーミングで移動させることで、広角端と望遠端のズーム移動後レンズ群を通る軸上近軸光線の入射高の高さを変えずに、瞳近軸光線の入射高の高さのみを変えている。それにより、ズーム移動後レンズ群で倍率色収差の二次スペクトルのズーム変動を発生させ、第１レンズ群Ｕ１で発生した倍率色収差の二次スペクトルのズーム変動をより効果的に補正している。
【００２６】
数値実施例１では第５２レンズ群Ｕ５２の屈折力や正レンズ及び負レンズのアッベ数、部分分散比及び屈折力を適切に選択することで、特に望遠端の倍率色収差の二次スペクトルを効果的に補正し、倍率色収差の二次スペクトルのズーム変動を良好に補正している。
【００２７】
以下、第５レンズ群が３つの群から構成される数値実施例１の５群ズームレンズの第５２レンズ群Ｕ５２における倍率色収差の二次スペクトルの広角端と望遠端の変動補正について詳細を述べる。
【００２８】
ここで、３枚以上のレンズで構成されているレンズ全系の軸上色収差係数Ｌ、倍率色収差係数Ｔを、以下の式（Ｊ）、（Ｋ）で与える。
Ｌ＝Σ（ｈ_ｊ×ｈ_ｊ×φ_ｊ／ν_ｊ）  ・・・式（Ｊ）
Ｔ＝Σ（ｈ_ｊ×Ｈ_ｊ×φ_ｊ／ν_ｊ）  ・・・式（Ｋ）
但し、ｈ_ｊ、Ｈ_ｊをそれぞれ物体側からｊ番目のレンズの近軸追跡における軸上近軸光線の入射高、瞳近軸光線の入射高とする。φ_ｊ、ν_ｊをそれぞれ物体側からｊ番目のレンズの屈折力、アッベ数とする。
【００２９】
さらに、レンズ全系の軸上色収差量Δｆ、倍率色収差量ΔＹは、以下の式（Ｌ）及び（Ｍ）で与えられる。
Δｆ＝−Ｌ×ｆ  ・・・式（Ｌ）
ΔＹ＝−Ｔ×Ｙ  ・・・式（Ｍ）
但し、レンズ全系の焦点距離をｆ、像高をＹとする。
【００３０】
今、式（Ｊ）及び（Ｋ）で用いているアッベ数ν_ｊの分母（部分分散）をｎｇ−ｎＦとすると、式（Ｊ）及び（Ｋ）はそれぞれＦ線に対するｇ線の軸上色収差係数、倍率色収差係数となる。式（Ｌ）及び（Ｍ）はそれぞれ軸上色収差、倍率色収差の二次スペクトル量を表す。式（Ｊ）及び（Ｌ）より、軸上色収差の二次スペクトルの各レンズの分担値は、軸上近軸光線の高さの二乗、レンズの屈折力及びｇ線とＦ線の屈折率差に比例して大きくなる。一方、式（Ｋ）及び（Ｍ）より、倍率色収差の二次スペクトルの各レンズの分担値は、軸上近軸光線の高さ、瞳近軸光線の高さ、レンズの屈折力及びｇ線とＦ線の屈折率差に比例して大きくなる。
【００３１】
ここで、式（Ｊ）及び（Ｋ）より物体側からｊ番目のレンズにおける二次スペクトルの軸上色収差係数に対する二次スペクトルの倍率色収差係の比ＴＬ_ｊは以下の式（Ｎ）で求まる。
ＴＬ_ｊ＝Ｈ_ｊ／ｈ_ｊ  ・・・式（Ｎ）
【００３２】
開口絞りより像側に位置するレンズにおいて、ＴＬ_ｊは常に正の値をとる。式（Ｎ）より、瞳近軸光線の入射高がより高い位置にあるレンズほど二次スペクトルの倍率色収差係数の分担値がより大きいため、倍率色収差の二次スペクトル補正により有利である。一方、瞳近軸光線の入射高がより低い位置にあるレンズほど二次スペクトルの軸上色収差係数の分担値がより大きいため、軸上色収差の二次スペクトル補正に有利である。第５レンズ群が３つのレンズ群から構成される数値実施例１の５群ズームレンズでは、より像側に位置するレンズほど瞳近軸光線の入射高が高い傾向にあるため倍率色収差の二次スペクトル補正に有利である。
【００３３】
更に、式（Ｊ）及び（Ｋ）より物体側からｊ番目のレンズにおける広角端と望遠端の二次スペクトルの軸上色収差係数の差に対する広角端と望遠端の二次スペクトルの倍率色収差係数の差の比ＴｚＬｚ_ｊは以下の式（Ｏ）で求まる。
ＴｚＬｚ_ｊ＝（ｈＴ_ｊ×ＨＴ_ｊ−ｈＷ_ｊ×ＨＷ_ｊ）
／（ｈＴ_ｊ×ｈＴ_ｊ−ｈＷ_ｊ×ｈＷ_ｊ）  ・・・式（Ｏ）
但し、ｈＷ_ｊ、ＨＷ_ｊをそれぞれ物体側からｊ番目のレンズの近軸追跡における広角端の軸上近軸光線の入射高、広角端の瞳近軸光線の入射高とする。ｈＴ_ｊ、ＨＴ_ｊをそれぞれ物体側からｊ番目のレンズの近軸追跡における望遠端の軸上近軸光線の入射高、望遠端の瞳近軸光線の入射高とする。
【００３４】
図１４に第５レンズ群が３つの群から構成される数値実施例１の５群ズームレンズの物体側から順に開口絞りＳＰ、第５１レンズ群Ｕ５１、第５２レンズ群Ｕ５２、第５３レンズ群Ｕ５３から成る第５レンズ群Ｕ５の広角端、望遠端の近軸追跡の模式図を示す。
【００３５】
前後で軸上近軸光線が略アフォーカルとなる第５２レンズ群Ｕ５２を広角端から望遠端へのズーミングに際して像側に移動させることで、広角端及び望遠端での軸上近軸光線の入射高の変化は小さいが、望遠端での瞳近軸光線の入射高は高くなる。従って、第５２レンズ群Ｕ５２においては図１４に示す（ＨＴ_５２−ＨＷ_５２）の差が式（Ｏ）の値を決める上で支配的となる。
【００３６】
従って、第５２レンズ群Ｕ５２で色収差の二次スペクトル補正により有利な硝材のアッベ数と部分分散比、及び屈折力を選択して望遠端の倍率色収差の二次スペクトルを補正することで、倍率色収差の二次スペクトルの広角端と望遠端の変動を効果的に補正できる。
【００３７】
式（Ｏ）と同様にして、物体側からｉ番目の面における広角端と望遠端の二次スペクトルの軸上色収差係数の分担値の差に対する広角端と望遠端の二次スペクトルの倍率色収差係数の分担値の差の比ＴｚＬｚ_ｉは、以下の式（Ｐ）で求まる。
ＴｚＬｚ_i＝（ｈＴ_i×ＨＴ_i−ｈＷ_i×ＨＷ_i）
／（ｈＴ_i×ｈＴ_i−ｈＷ_i×ｈＷ_i）  ・・・式（Ｐ）
但し、ｈＷ_i、ＨＷ_ｉをそれぞれ物体側からｉ番目のレンズの近軸追跡における広角端の軸上近軸光線の入射高、広角端の瞳近軸光線の入射高とする。ｈＴ_ｉ、ＨＴ_ｉをそれぞれ物体側からｉ番目のレンズの近軸追跡における望遠端の軸上近軸光線の入射高、望遠端の瞳近軸光線の入射高とする。本発明のズームレンズは、ズーム移動後レンズ群の各面に対する式（Ｐ）の数値が負に大きくなるように設計され、倍率色収差のズーム変動補正に有利となるように構成されている。
【００３８】
又、図１５（Ａ）、（Ｂ）は数値実施例１のそれぞれ広角端と望遠端における無限遠物体に合焦しているときの光路図である。図１５（Ａ）、（Ｂ）からも分かるように、Ｕ５２を通る軸上光線は略アフォーカルであり、広角端と望遠端において軸上光線の入射高の高さがほぼ変わらない。よって、Ｕ５２がズーミングに際して移動することによる球面収差や軸上色収差などの軸上収差のズーム変動に与える影響は小さい。一方で、Ｕ５２を通る軸外主光線の入射高の高さは、広角端よりも望遠端の方が高くなる。したがって、Ｕ５２がズーミングに際して移動することで倍率色収差などの軸外収差のズーム変動を効果的に補正することができる。
【００３９】
条件式（１）は、ズーム移動後レンズ群の屈折力と広角端での後レンズ群の屈折力の比を規定している。条件式（１）を満たすことで、ズームレンズの軸外収差のズーム変動を良好に補正することが可能となる。
条件式（１）の上限を超えると、広角端での後レンズ群の屈折力に対するズーム移動後レンズ群の屈折力が強くなりすぎて、ズーム移動後レンズ群を通る軸上光線の入射高の高さがズーミングに伴い大きく変化する。よって、特に軸上色収差などの軸上収差のズーム変動も大きく変化してしまうため、特に倍率色収差などの軸外収差のズーム変動の効果的な補正が困難となる。
【００４０】
更に好ましくは、条件式（１）を次の如く設定するのが良い。
｜φｒｚ/φｒ_Ｗ｜＜０．８６  ・・・（１ａ）
【００４１】
条件式（２）は、ズーム移動後レンズ群から像側のレンズ群の広角端での無限遠合焦時の横倍率を規定している。条件式（２）を満たすことで、ズームレンズの特に軸外収差のズーム変動を良好に補正することが可能となる。
条件式（２）の上限を超えると、広角端でのズーム移動後レンズ群に入射する軸上光線の入射傾角が大きくなりすぎて、ズーム移動後レンズ群を通る軸上光線の入射高の高さがズーミングに伴い大きく変化する。よって、特に軸上色収差などの軸上収差のズーム変動が大きく変化してしまうため、特に倍率色収差などの軸外収差のズーム変動の効果的な補正が困難となる。
【００４２】
更に好ましくは、条件式（２）を次の如く設定するのが良い。
｜βｒｚb_Ｗ｜＜１．５０  ・・・（２ａ）
【００４３】
以上の各条件式を満たすことにより、本発明の各実施例では、大判カメラ用ズームレンズでありながら、倍率色収差のズーム変動を良好に抑制し、広角端から望遠端までの全ズーム範囲において高い光学性能を達成している。
【００４４】
本発明の更なる実施態様として、条件式（３）によりズーム移動後レンズ群のズームストロークが半分となるズーム位置での開口絞りからズーム移動レンズ群の最も物体側の面までの光軸上の距離ＬＦ_Ｍと、ズーム移動後レンズ群の最も像側の面から像面までの光軸上の距離ＬＲ_Ｍの比を規定している。
０．２０＜ＬＦ_Ｍ/ＬＲ_Ｍ＜０．７０  ・・・（３）
【００４５】
式（１２）より、各面の倍率色収差係数は軸上近軸光線の高さと瞳近軸光線の高さとレンズの屈折力の積をレンズのアッベ数で割った値となる。したがって、倍率色収差補正を効果的に行うことができる位置は、軸上近軸光線の高さと瞳近軸光線の高さがともに高い位置である。
【００４６】
条件式（３）を満たすことで、倍率色収差のズーム変動の良好な補正が可能となる。
条件式（３）の上限を超えると、ズーム移動後レンズ群のズーム中間での位置が像面に近過ぎるため、軸外光線は高くなるが軸上光線が低くなりすぎるため、特に倍率色収差のズーム変動の良好な補正が困難となる。
条件式（３）の下限を超えると、ズーム移動後レンズ群のズーム中間での位置が開口絞りに近過ぎるため、軸外光線が低くなりすぎるため、特に倍率色収差のズーム変動の良好な補正が困難となる。
【００４７】
更に好ましくは、条件式（３）を次の如く設定するのが良い。
０．３０＜ＬＦ_Ｍ/ＬＲ_Ｍ＜０．６０  ・・・（３ａ）
【００４８】
本発明の更なる実施態様として、条件式（４）により最も像側に配置されたズーム移動後レンズ群より像側の群の広角端での屈折力φｒｚb_Ｗと広角端での後レンズ群の屈折力φｒ_Ｗの比を規定している。
０．３０＜｜φｒｚb_Ｗ/φｒ_Ｗ｜＜３．００  ・・・（４）
【００４９】
条件式（４）を満たすことで、良好な収差補正とレンズ全長の短縮の両立が可能となる。
条件式（４）の上限を超えると、最も像側に配置されたズーム移動後レンズ群より像側のレンズ群の屈折力が大きくなり過ぎるため、ズーム全域における倍率色収差や歪曲等の補正が困難となる。
条件式（４）の下限を超えると、最も像側に配置されたズーム移動後レンズ群より像側のレンズ群の屈折力が小さくなり過ぎるため、バックフォーカスが長くなり過ぎ、レンズ全長の短縮が困難となる。
【００５０】
更に好ましくは、条件式（４）を次の如く設定するのが良い。
０．４０＜｜φｒｚb_Ｗ/φｒ_Ｗ｜＜２．１０  ・・・（４ａ）
【００５１】
本発明の更なる実施態様として、条件式（５）により前記ズーム移動後レンズ群の広角端で最も物体側面を通る軸上光線の高さｈ１_Ｗと、最も像側面を通る軸上光線の高さｈｋ_Ｗの比を規定している。 
０．７０ ＜ｈ１_Ｗ／ｈｋ_Ｗ＜ １．３０  ・・・（５）
【００５２】
条件式（５）を満たすことで、ズームレンズの特に軸外収差のズーム変動を良好に補正することが可能となる。
条件式（５）の上限及び下限を超えると、広角端でのズーム移動後レンズ群に入射する軸上光線の入射傾角が大きくなりすぎて、ズーム移動後レンズ群を通る軸上光線の入射高の高さがズーミングに伴い大きく変化する。よって、特に軸上色収差などの軸上収差のズーム変動が大きく変化してしまうため、特に倍率色収差などの軸外収差のズーム変動の効果的な補正が困難となる。
【００５３】
更に好ましくは、条件式（５）を次の如く設定するのが良い。
０．９０ ＜ｈ１_Ｗ／ｈｋ_Ｗ＜ １．２０  ・・・（５ａ）
【００５４】
本発明の更なる実施態様として、条件式（６）によりズーム移動後レンズ群の正レンズの屈折力の和、ズーム移動後レンズ群の負レンズの屈折力の和に対するそれぞれの平均アッベ数の比の和を規定している。
｜φｐ／νｐ＋φｎ／νｎ｜＜３．００×１０−３  ・・・（６）
ここで、φｐはズーム移動後レンズ群の正レンズの屈折力の和、φｎはズーム移動後レンズ群の負レンズの屈折力の和、νｐはズーム移動後レンズ群の正レンズの平均アッベ数、νｎはズーム移動後レンズ群の負レンズの平均アッベ数である。
【００５５】
条件式（６）を満たすことで、ズーム移動後レンズ群内での色収差補正が可能となる。
条件式（６）の上限を超えると、式（３）及び式（４）よりズーム移動後レンズ群内でのＣ線−Ｆ線の色消しが不十分となるため、軸上色収差や倍率色収差のズーム変動の良好な補正が困難となる。
【００５６】
更に好ましくは、条件式（６）を次の如く設定するのが良い。
｜φｐ／νｐ＋φｎ／νｎ｜＜１．２０×１０−３  ・・・（６ａ）
【００５７】
図１２は後述する数値実施例１の５群ズームレンズのズーム移動後レンズ群Ｕ５２における望遠端での倍率色収差の２色の色消しと二次スペクトル残存に関する模式図である。
【００５８】
図１２において、Ｕ５２内においてＦ線とＣ線の色収差を補正し、図１２に示すように軸外でｇ線の結像点を像高の高い方にずらすことで、特に第１レンズ群Ｕ１で像高の低い方に発生する望遠端の倍率色収差の二次スペクトルを良好に補正することが可能となる。その際、ズーム移動後レンズ群を構成する正レンズの平均部分分散比をより小さく、負レンズの平均部分分散比をより大きくすることで効果的な補正が可能となる。
【００５９】
本発明の更なる実施態様として、条件式（７）によりズーム移動後レンズ群の正レンズの平均部分分散比と図９に示す点Ａ、点Ｂを結んだ基準線上の部分分散比との差を規定している。
−２０．０×１０−３＜θｐ−（−１.６２０×１０−３×νｐ＋０．６４０）
＜ １５．０×１０−３                  ・・・（７）
【００６０】
条件式（７）を満たすことで、倍率色収差のズーム変動の良好な補正が可能となる。
条件式（７）の上限を超えると、ズーム移動後レンズ群内の正レンズの平均部分分散比が大きくなり、ズーム移動後レンズ群内において望遠端でｇ線が像高の低い方にずれ過ぎるため、倍率色収差のズーム変動の良好な補正が困難となる。
条件式（７）の下限を超えると、ズーム移動後レンズ群内の正レンズの平均部分分散比が小さくなり、ズーム移動後レンズ群内において望遠端でｇ線が像高の高い方にずれ過ぎるため、倍率色収差のズーム変動が補正過剰となるため良くない。
【００６１】
更に好ましくは、条件式（７）を次の如く設定するのが良い。
−１５．０×１０−３＜θｐ−（−１.６２０×１０−３×νｐ＋０．６４０）
＜ １３．０×１０−３                  ・・・（７ａ）
【００６２】
本発明の更なる実施態様として、条件式（８）によりズーム移動後レンズ群の負レンズの平均部分分散比と図９に示す点Ａ、点Ｂを結んだ基準線上の部分分散比との差を規定している。
−１５．０×１０−３＜θｎ−（−１.６２０×１０−３×νｎ＋０．６４０）
＜ ２０．０×１０−３                  ・・・（８）
【００６３】
条件式（８）を満たすことで、倍率色収差のズーム変動の良好な補正が可能となる。
条件式（８）の上限を超えると、ズーム移動後レンズ群内の負レンズの平均部分分散比が大きくなり、ズーム移動後レンズ群内において望遠端でｇ線が像高の高い方にずれ過ぎるため、倍率色収差のズーム変動が補正過剰となるため良くない。
条件式（８）の下限を超えると、ズーム移動後レンズ群内の正レンズの平均部分分散比が小さくなり、ズーム移動後レンズ群内において望遠端でｇ線が像高の低い方にずれ過ぎるため、倍率色収差のズーム変動の良好な補正が困難となる。
【００６４】
更に好ましくは、条件式（８）を次の如く設定するのが良い。
−１０．０×１０−３＜θｎ−（−１.６２０×１０−３×νｎ＋０．６４０）
＜ ５．０×１０−３                    ・・・（８ａ）
【実施例１】
【００６５】
図１は本発明の実施例１のズームレンズの広角端で無限遠合焦時のレンズ断面図である。本発明のズームレンズは、物体側から像側へ順に、ズーミングのためには移動しない正の屈折力の第１レンズ群、ズーミングに際して移動する負の屈折力の第２レンズ群、少なくとも１群以上のズーミングに際して移動するレンズ群、開口絞り及びズーミングに際して移動するズーム移動後レンズ群を含む後レンズ群を有している。
【００６６】
Ｕ１はズーミングのためには移動しない正の屈折力の第１レンズ群である。Ｕ２は広角端（短焦点距離端）から望遠端（長焦点距離端）へのズーミングに際して像側へ移動するズーミング用の負の屈折力の第２レンズ群（バリエーターレンズ群）である。本実施例において、「少なくとも１群以上のズーミングに際して移動するレンズ群」は、第３レンズ群Ｕ３及び第４レンズ群Ｕ４から構成される。第３レンズ群Ｕ３は、広角端（短焦点距離端）から望遠端（長焦点距離端）へのズーミングに際して移動するズーミング用の正の屈折力を有するバリエーターレンズ群である。第４レンズ群Ｕ４は、第２レンズ群Ｕ２及び第３レンズ群Ｕ３に連動して移動し、ズーミングに伴う像面変動を補正する正の屈折力を有するコンペンセーターレンズ群である。また、第４レンズ群Ｕ４は無限遠物体から近距離物体に焦点調整する際に物体側に移動する。本実施例における後レンズ群は、図１中でＵ５で示される。後レンズ群Ｕ５は、物体側から像側へ順に、開口絞りＳＰ、ズーミングのためには移動しない負の屈折力の第５１レンズ群Ｕ５１、ズーミングに際して移動する正の屈折力の第５２レンズ群Ｕ５２、ズーミングのためには移動しない正の屈折力の第５３レンズ群Ｕ５３、から構成される。ＩＰは像面であり、固体撮像素子（光電変換素子）の撮像面に相当している。
【００６７】
実施例１の各レンズ群のレンズ構成について説明する。以下、各レンズは物体側より像側へ順に配置されているものとする。第１レンズ群Ｕ１は正レンズ、負レンズ、正レンズ３枚で構成されている。第２レンズ群Ｕ２は負レンズ３枚、正レンズで構成されている。第３レンズ群Ｕ３は正レンズ、負レンズ、正レンズで構成されている。第４レンズ群Ｕ４は焦点調整に際して移動し、正レンズ、負レンズと正レンズの接合レンズで構成されている。第５レンズ群Ｕ５は、開口絞りＳＰ、第５１レンズ群Ｕ５１、第５２レンズ群Ｕ５２、第５３レンズ群Ｕ５３で構成されている。第５１レンズ群Ｕ５１は、負レンズと正レンズの接合レンズ２枚で構成される。第５２レンズ群Ｕ５２は、負レンズと正レンズと負レンズの接合レンズ、正レンズと負レンズの接合レンズから構成される。第５３レンズ群Ｕ５３は、正レンズと負レンズの接合レンズ２枚から構成される。
【００６８】
実施例１に対応する数値実施例を下記の＜数値実施例１＞に記載する。以下の各数値実施例において、ｒは物体側より各面の曲率半径、ｄは各面の間隔、ｎｄとνｄは各光学部材の屈折率とアッベ数である。非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２を各々非球面係数としたとし次式で表す。
【００６９】
【数１】
2015212726.tif 000003
「ｅ−Ｚ」は「×１０−Ｚ」を意味する。＊印は非球面であることを示している。
【００７０】
図２に、数値実施例１のズームレンズの無限遠合焦時の（Ａ）広角端、（Ｂ）ズーム移動後レンズ群のズームストロークが半分となる焦点距離４７７．７８ｍｍ、（Ｃ）望遠端における縦収差図を示す。但し、図中の焦点距離の値は、後述する数値実施例をｍｍ単位で表したときの値であり、以下の各数値実施例においてすべて同じである。収差図において、球面収差はｅ線、ｇ線、Ｃ線、Ｆ線によって表されている。非点収差はｅ線のメリディオナル像面（ΔＭ）とｅ線のサジタル像面（ΔＳ）によって表されている。倍率色収差はｇ線、Ｃ線、Ｆ線によって表されている。すべての収差図において、球面収差は０．５ｍｍ、非点収差は０．５ｍｍ、歪曲は５％、倍率色収差は０．０５ｍｍのスケールで描かれている。ＦｎｏはＦナンバー、ωは半画角である。尚、広角端と望遠端はズーミング用の第２レンズ群Ｕ２が機構上光軸上を移動可能な範囲の両端に位置したときのズーム位置をいう。
【００７１】
表１に数値実施例１の各条件式の対応値を示す。数値実施例１は条件式（１）〜（８）の何れの条件式も満足している。ただし、数値実施例１においては、第５２レンズ群Ｕ５２（ズーム移動後レンズ群）が条件式（１）を満たし、第５２レンズ群Ｕ５２から像側のレンズ群が条件式（２）を満たしている。
【００７２】
数値実施例１、２、４では第５２レンズ群Ｕ５２、数値実施例３では第５３レンズ群Ｕ５３が条件式（１）を満たしている。
数値実施例１、２、４では第５２レンズ群Ｕ５２から像側の群、数値実施例３では第５３レンズ群Ｕ５３から像側のレンズ群が条件式（２）を満たしている。
【００７３】
数値実施例１のズーム移動後レンズ群における式（１７）の数値を表２に示す。ズーム移動後レンズ群の各面は値が負に大きく、倍率色収差のズーム変動補正に有利であることがわかる。
【００７４】
本実施例のズームレンズ８は、大判カメラ用ズームレンズでありながら、特に倍率色収差のズーム変動を効果的に抑制し、ズーム比２０．０倍、広角端の半画角２１．２度、望遠端の半画角１．１度という広角端から望遠端までの全ズーム範囲において高い光学性能を達成している。
【実施例２】
【００７５】
図３は本発明の実施例２のズームレンズの広角端で無限遠合焦時のレンズ断面図である。本発明のズームレンズは、物体側から像側へ順に、ズーミングのためには移動しない正の屈折力の第１レンズ群、ズーミングに際して移動する負の屈折力の第２レンズ群、少なくとも１群以上のズーミングに際して移動するレンズ群、開口絞り及びズーミングに際して移動するズーム移動後レンズ群を含む後レンズ群を有している。
【００７６】
Ｕ１はズーミングのためには移動しない正の屈折力の第１レンズ群である。Ｕ２は広角端（短焦点距離端）から望遠端（長焦点距離端）へのズーミングに際して像側へ移動するズーミング用の負の屈折力の第２レンズ群（バリエーターレンズ群）である。本実施例において、「少なくとも１群以上のズーミングに際して移動するレンズ群」は、第３レンズ群Ｕ３及び第４レンズ群Ｕ４から構成される。第３レンズ群Ｕ３は、広角端（短焦点距離端）から望遠端（長焦点距離端）へのズーミングに際して移動するズーミング用の正の屈折力を有するバリエーターレンズ群である。第４レンズ群Ｕ４は、第２レンズ群Ｕ２及び第３レンズ群Ｕ３に連動して移動し、ズーミングに伴う像面変動を補正する正の屈折力を有するコンペンセーターレンズ群である。また、第４レンズ群Ｕ４は無限遠物体から近距離物体に焦点調整する際に物体側に移動する。本実施例における後レンズ群は、図１中でＵ５で示され、物体側から像側へ順に、開口絞りＳＰ、ズーミングのためには移動しない負の屈折力の第５１レンズ群Ｕ５１、ズーミングに際して移動する負の屈折力の第５２レンズ群Ｕ５２、ズーミングのためには移動しない正の屈折力の第５３レンズ群Ｕ５３で構成される。ＩＰは像面であり、固体撮像素子（光電変換素子）の撮像面に相当している。
【００７７】
次に、実施例２の各レンズ群のレンズ構成について説明する。第１レンズ群Ｕ１は正レンズ、負レンズ、正レンズ３枚で構成されている。第２レンズ群Ｕ２は負レンズ３枚、正レンズで構成されている。第３レンズ群Ｕ３は正レンズ、負レンズ、正レンズで構成されている。第４レンズ群Ｕ４は焦点調整に際して移動し、正レンズ、負レンズと正レンズの接合レンズで構成されている。第５レンズ群Ｕ５は、開口絞りＳＰ、第５１レンズ群Ｕ５１、第５２レンズ群Ｕ５２、第５３レンズ群Ｕ５３から構成されている。第５１レンズ群Ｕ５１は、負レンズと正レンズの接合レンズ２枚から構成される。第５２レンズ群Ｕ５２は、負レンズ、正レンズと負レンズの接合レンズ２枚から構成される。第５３レンズ群Ｕ５３は、正レンズと負レンズの接合レンズで構成される。
【００７８】
実施例２に対応する数値実施例２を下記の＜数値実施例２＞に記載する。
【００７９】
図４に、数値実施例２のズームレンズの無限遠合焦時の（Ａ）広角端、（Ｂ）ズーム移動後レンズ群のズームストロークが半分となる焦点距離２３５．２８ｍｍ、（Ｃ）望遠端における縦収差図を示す。
【００８０】
表１に数値実施例２の各条件式の対応値を示す。数値実施例２は条件式（１）〜（８）の何れの条件式も満足している。但し、数値実施例２においては、第５２レンズ群Ｕ５２（ズーム移動後レンズ群）が条件式（１）を満たし、第５２レンズ群Ｕ５２から像側のレンズ群が条件式（２）を満たしている。
【００８１】
数値実施例２のズーム移動後レンズ群における式（１７）の数値を表３に示す。ズーム移動後レンズ群の各面は値が負に大きく、倍率色収差のズーム変動補正に有利であることがわかる。
【００８２】
本実施例のズームレンズ８は、大判カメラ用ズームレンズでありながら、特に倍率色収差のズーム変動を効果的に抑制し、ズーム比２０．０倍、広角端の半画角１７．３度、望遠端の半画角０．６度という広角端から望遠端までの全ズーム範囲において高い光学性能を達成している。
【実施例３】
【００８３】
図５は本発明の実施例３のズームレンズの広角端で無限遠合焦時のレンズ断面図である。本発明のズームレンズは、物体側から像側へ順に、ズーミングのためには移動しない正の屈折力の第１レンズ群、ズーミングに際して移動する負の屈折力の第２レンズ群、少なくとも１群以上のズーミングに際して移動するレンズ群、開口絞り及びズーミングに際して移動するズーム移動後レンズ群を含む後レンズ群を有している。
【００８４】
Ｕ１はズーミングのためには移動しない正の屈折力の第１レンズ群である。Ｕ２は広角端（短焦点距離端）から望遠端（長焦点距離端）へのズーミングに際して像側へ移動するズーミング用の負の屈折力の第２レンズ群（バリエーターレンズ群）である。本実施例において、「少なくとも１群以上のズーミングに際して移動するレンズ群」は、第３レンズ群Ｕ３及び第４レンズ群Ｕ４から構成される。第３レンズ群Ｕ３は、広角端（短焦点距離端）から望遠端（長焦点距離端）へのズーミングに際して移動するズーミング用の正の屈折力を有するバリエーターレンズ群である。第４レンズ群Ｕ４は、第２レンズ群Ｕ２及び第３レンズ群Ｕ３に連動して移動し、ズーミングに伴う像面変動を補正する正の屈折力を有するコンペンセーターレンズ群である。また、第４レンズ群Ｕ４は無限遠物体から近距離物体に焦点調整する際に物体側に移動する。本実施例における後レンズ群は、図１中でＵ５で示されている。後レンズ群Ｕ５は、物体側から像側へ順に、開口絞りＳＰ、負の屈折力の第５１レンズ群Ｕ５１、負の屈折力の第５２レンズ群Ｕ５２、正の屈折力の第５３レンズ群Ｕ５３、正の屈折力の第５４レンズ群Ｕ５４で構成される。第５１レンズ群Ｕ５１は、ズーミングのためには移動しない。第５２レンズ群Ｕ５２は、ズーミングに際して移動する。第５３レンズ群Ｕ５３は、ズーミングに際して移動する。第５４レンズ群Ｕ５４は、ズーミングのためには移動しない。ＩＰは像面であり、固体撮像素子（光電変換素子）の撮像面に相当している。
【００８５】
次に、実施例３の各レンズ群のレンズ構成について説明する。第１レンズ群Ｕ１は正レンズ、負レンズ、正レンズ３枚で構成されている。第２レンズ群Ｕ２は負レンズ３枚、正レンズで構成されている。第３レンズ群Ｕ３は正レンズ、負レンズ、正レンズで構成されている。第４レンズ群Ｕ４は焦点調整に際して移動し、正レンズ、負レンズと正レンズの接合レンズで構成されている。第５レンズ群Ｕ５は、開口絞りＳＰ、第５１レンズ群Ｕ５１、第５２レンズ群Ｕ５２、第５３レンズ群Ｕ５３、第５４レンズ群Ｕ５４で構成されている。第５１レンズ群Ｕ５１は、負レンズと正レンズの接合レンズ２枚で構成される。第５２レンズ群Ｕ５２は、負レンズと正レンズと負レンズの接合レンズで構成される。第５３レンズ群Ｕ５３は、正レンズと負レンズの接合レンズで構成される。第５４レンズ群Ｕ５４は、正レンズと負レンズの接合レンズで構成される。
【００８６】
実施例３に対応する数値実施例３を下記の＜数値実施例３＞に記載する。
【００８７】
図６に、実施例３のズームレンズの無限遠合焦時の（Ａ）広角端、（Ｂ）ズーム移動後レンズ群のズームストロークが半分となる焦点距離６０１．２０ｍｍ、（Ｃ）望遠端における縦収差図を示す。
【００８８】
表１に数値実施例３の各条件式の対応値を示す。数値実施例３は条件式（１）〜（８）の何れの条件式も満足している。ただし、数値実施例３においては、第５３レンズ群Ｕ５３（ズーム移動後レンズ群）が条件式（１）を満たし、第５３レンズ群Ｕ５３から像側のレンズ群が条件式（２）を満たしている。
【００８９】
数値実施例３のズーム移動後レンズ群における式（１７）の数値を表４に示す。ズーム移動後レンズ群の各面は値が負に大きく、倍率色収差のズーム変動補正に有利であることがわかる。
【００９０】
本実施例のズームレンズ８は、大判カメラ用ズームレンズでありながら、特に倍率色収差のズーム変動を効果的に抑制し、ズーム比３０．０倍、広角端の半画角２８．４度、望遠端の半画角１．６度という広角端から望遠端までの全ズーム範囲において高い光学性能を達成している。
【実施例４】
【００９１】
図７は本発明の実施例４のズームレンズの広角端で無限遠合焦時のレンズ断面図である。本発明のズームレンズは、物体側から像側へ順に、ズーミングのためには移動しない正の屈折力の第１レンズ群、ズーミングに際して移動する負の屈折力の第２レンズ群、少なくとも１群以上のズーミングに際して移動するレンズ群、開口絞り及びズーミングに際して移動するズーム移動後レンズ群を含む後レンズ群を有している。
【００９２】
Ｕ１はズーミングのためには移動しない正の屈折力の第１レンズ群である。Ｕ２は広角端（短焦点距離端）から望遠端（長焦点距離端）へのズーミングに際して像側へ移動するズーミング用の負の屈折力の第２レンズ群（バリエーターレンズ群）である。本実施例において、「少なくとも１群以上のズーミングに際して移動するレンズ群」は、第３レンズ群Ｕ３及び第４レンズ群Ｕ４から構成される。第３レンズ群Ｕ３は、広角端（短焦点距離端）から望遠端（長焦点距離端）へのズーミングに際して移動するズーミング用の正の屈折力を有するバリエーターレンズ群である。第４レンズ群Ｕ４は、第２レンズ群Ｕ２及び第３レンズ群Ｕ３に連動して移動し、ズーミングに伴う像面変動を補正する正の屈折力を有するコンペンセーターレンズ群である。また、第４レンズ群Ｕ４は無限遠物体から近距離物体に焦点調整する際に物体側に移動する。本実施例における後レンズ群は、図１中でＵ５で示され、物体側から像側へ順に、開口絞りＳＰ、ズーミングのためには移動しない負の屈折力の第５１レンズ群Ｕ５１、ズーミングに際して移動する負の屈折力の第５２レンズ群Ｕ５２、ズーミングのためには移動しない正の屈折力の第５３レンズ群Ｕ５３で構成される。ＩＰは像面であり、固体撮像素子（光電変換素子）の撮像面に相当している。
【００９３】
次に、実施例４の各レンズ群のレンズ構成について説明する。第１レンズ群Ｕ１は正レンズ、負レンズ、正レンズ３枚で構成されている。第２レンズ群Ｕ２は負レンズ３枚、正レンズで構成されている。第３レンズ群Ｕ３は正レンズ、負レンズ、正レンズで構成されている。第４レンズ群Ｕ４は焦点調整に際して移動し、正レンズ、負レンズと正レンズの接合レンズで構成されている。第５レンズ群Ｕ５は、開口絞りＳＰ、第５１レンズ群Ｕ５１、第５２レンズ群Ｕ５２、第５３レンズ群Ｕ５３、から構成されている。第５１レンズ群Ｕ５１は、負レンズと正レンズの接合レンズ２枚から構成される。第５２レンズ群Ｕ５２は、負レンズ、正レンズと負レンズの接合レンズ２枚から構成される。第５３レンズ群Ｕ５３は、正レンズと負レンズの接合レンズで構成される。
【００９４】
実施例４に対応する数値実施例４を下記の＜数値実施例４＞に記載する。
【００９５】
図８に、数値実施例４のズームレンズの無限遠合焦時の（Ａ）広角端、（Ｂ）ズーム移動後レンズ群のズームストロークが半分となる焦点距離５４５．５４ｍｍ、（Ｃ）望遠端における縦収差図を示す。
【００９６】
表１に数値実施例４の各条件式の対応値を示す。数値実施例４は条件式（１）〜（８）の何れの条件式も満足している。但し、数値実施例４においては、第５２レンズ群Ｕ５２（ズーム移動後レンズ群）が条件式（１）を満たし、第５２レンズ群Ｕ５２から像側のレンズ群が条件式（２）を満たしている。
【００９７】
数値実施例４のズーム移動後レンズ群における式（１７）の数値を表５に示す。ズーム移動後レンズ群の各面は値が負に大きく、倍率色収差のズーム変動補正に有利であることがわかる。
【００９８】
本実施例のズームレンズ８は、大判カメラ用ズームレンズでありながら、特に倍率色収差のズーム変動を効果的に抑制し、ズーム比２０．０倍、広角端の半画角２８．４度、望遠端の半画角１．６度という広角端から望遠端までの全ズーム範囲において高い光学性能を達成している。
【実施例５】
【００９９】
図１６を用いて、各数値実施例のズームレンズを撮影光学系として用いた撮像装置（テレビカメラシステム）の概要を説明する。図１６は本発明の撮像装置の要部概略図である。図１６において１０１は数値実施例１〜４のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。
【０１００】
ズームレンズ１０１は第１レンズ群Ｆ、変倍レンズ群ＬＺ、後レンズ群Ｒを有している。第１レンズ群Ｆ、又は変倍レンズ群ＬＺは焦点調節用レンズ群が含まれている。変倍部ＬＺはズーミングに際して光軸上を移動する群と、ズーミングに伴う像面変動を補正する為に光軸上を移動する群が含まれている。後レンズ群Ｒは開口絞りＳＰと少なくとも１つのズーミング中に移動するレンズ群が含まれている。
【０１０１】
１１４、１１５は、各々第１レンズ群Ｆ、変倍レンズ群ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆ、変倍部ＬＺの光軸上の位置や、開口絞りＳＰの絞り径を検出する為のエンコーダやポテンショメータ、あるいはフォトセンサ等の検出器である。カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。
【０１０２】
このように本発明のズームレンズをテレビカメラに適用することにより、高い光学性能を有する撮像装置を実現している。
【０１０３】
＜数値実施例１＞
面データ
面番号        r       d        nd        vd     θgF     有効径
1         344.917   14.26    1.43387    95.1    0.537    142.86 
2        -675.733    0.20       1                        142.47 
3       -1990.435    4.50    1.72916    54.7    0.544    141.72 
4         150.892    0.86       1                        138.78 
5         150.495   22.41    1.43387    95.1    0.537    139.43 
6       -1084.631    0.20       1                        139.59 
7         161.954   18.73    1.43387    95.1    0.537    139.96 
8        2087.054    0.20       1                        138.89 
9         156.289   14.54    1.43387    95.1    0.537    133.80 
10        499.027   (可変)      1                        131.75 
11*       392.624    1.50    1.53715    74.8    0.539     41.17 
12         36.388   10.20       1                         36.42 
13        -50.127    1.50    1.49700    81.5    0.537     34.74 
14         50.030    9.30       1                         33.24 
15        -33.517    1.50    1.49700    81.5    0.537     33.33 
16      -2664.058    0.50       1                         35.67 
17         81.006    6.38    1.65412    39.7    0.574     37.33 
18*       -78.309   (可変)      1                         37.67 
19       -183.704    3.95    1.49700    81.5    0.537     43.63 
20        -75.176    0.20       1                         43.83 
21        -75.633    1.50    1.80000    29.8    0.602     43.80 
22       -131.401    0.20       1                         44.34 
23*       105.549    7.06    1.49700    81.5    0.537     44.60 
24        -85.640   (可変)      1                         44.47 
25         45.176   10.17    1.43875    94.9    0.534     39.56 
26        -75.705    0.20       1                         38.51 
27*      -166.823    1.50    1.75500    52.3    0.548     37.34 
28         48.964    6.84    1.49700    81.5    0.537     35.60 
29       -106.897   (可変)      1                         35.19 
30（絞り）  ∞       2.50       1                         19.79 
31        144.342    1.50    1.88300    40.8    0.567     18.13 
32         22.607    3.98    1.59270    35.3    0.593     17.07 
33        -72.273    1.96       1                         16.54 
34        477.789    1.50    1.88300    40.8    0.567     14.97 
35         17.820    2.53    1.59270    35.3    0.593     14.00 
36         35.117   (可変)      1                         13.57 
37        -56.800    1.50    1.88300    40.8    0.567     19.32 
38         27.587    7.96    1.75520    27.5    0.610     20.84 
39        -16.982    1.50    1.88300    40.8    0.567     21.72 
40        599.787    0.66       1                         24.58 
41         58.709    6.44    1.66680    33.1    0.596     26.95 
42        -33.540    1.50    1.88300    40.8    0.567     27.66 
43        -39.680   (可変)      1                         28.46 
44        -90.803    4.03    1.51633    64.1    0.535     28.83 
45        -32.974    1.50    1.95906    17.5    0.660     29.20 
46        -71.564    0.20       1                         30.45 
47        266.766    8.49    1.51633    64.1    0.535     31.20 
48        -23.045    1.50    1.90366    31.3    0.595     31.51 
49        -34.421               1                         33.20  
像面        ∞
非球面データ
第11面
K = 0.00000e+000  A 4= 2.37266e-006  A 6= 1.16315e-009  A 8=-8.33819e-013  
A10= 1.11708e-015  A12= 2.58135e-018  
第18面
K = 0.00000e+000  A 4= 2.44737e-006  A 6= 1.55299e-009  A 8= 2.00967e-013  A10=-1.18845e-015  A12= 1.14126e-018  
第23面
K = 0.00000e+000  A 4=-1.07610e-006  A 6=-7.13743e-011  A 8= 2.17458e-013  A10=-4.83354e-016  A12= 3.58859e-019  
第27面
K = 0.00000e+000  A 4=-1.40904e-006  A 6=-8.08899e-011  A 8= 1.40803e-012  A10=-4.34713e-015  A12= 4.21524e-018  
各種データ
ズーム比     20.00 
広角     中間     望遠
焦点距離      40.00   477.78   800.01  
Fナンバー      4.60     5.58     5.60  
半画角        21.24     1.86     1.11  
像高          15.55    15.55    15.55  
レンズ全長   470.71   470.71   470.71  
BF            50.09    50.09    50.09  
d10            6.47   143.79   155.27  
d18          155.52    23.73     1.50  
d24           38.75     9.91    23.37  
d29           13.39    36.70    33.99  
d36            9.22    13.54    17.85  
d43            9.63     5.31     1.00  
入射瞳位置   118.12   1755.27   3280.05  
射出瞳位置  -131.67   -146.38   -163.88  
前側主点位置 149.32   1071.15   1088.80  
後側主点位置  10.09   -427.70   -749.92  
ズームレンズ群データ
群  始面    焦点距離  レンズ構成長  前側主点位置  後側主点位置
1    1     230.00        75.90        31.41        -21.95
2   11     -32.70        30.87         3.98        -24.84
3   19     100.00        12.91         7.73         -0.78
4   25      98.00        18.71         2.44        -10.65
5   30     -32.97        13.97         9.18         -0.86
6   37     371.09        19.55        79.16         86.10
7   44     149.51        15.72        19.01         10.28
【０１０４】
＜数値実施例２＞
面データ
面番号       r        d        nd       vd     θgF     有効径 
1         307.239   17.37   1.43387    95.1    0.537    136.37 
2        -495.989    2.77       1                       135.68 
3       -1095.448    4.50   1.72916    54.7    0.544    133.94 
4         152.696    1.24       1                       131.12 
5         152.611   21.37   1.43387    95.1    0.537    131.84 
6        -920.867    0.20       1                       131.98 
7         176.435   15.98   1.43387    95.1    0.537    131.75 
8        2777.385    0.20       1                       130.75 
9         133.276   15.01   1.43387    95.1    0.537    125.60 
10        420.334   (可変)      1                       123.49 
11*        70.813    1.50   1.53715    74.8    0.539     37.40 
12         32.030    8.29       1                        33.96 
13       -102.421    1.50   1.53715    74.8    0.539     32.29 
14         54.522    7.43       1                        30.53 
15        -37.520    1.50   1.59522    67.7    0.544     30.03 
16         57.202    0.19       1                        31.26 
17         46.616    4.81   1.72047    34.7    0.583     31.82 
18*      -174.622   (可変)      1                        31.90 
19         61.020    9.74   1.43875    94.9    0.534     51.07 
20       -153.238    0.20       1                        50.82 
21       -245.342    1.70   2.00069    25.5    0.613     50.48 
22        378.196    0.20       1                        50.25 
23*       146.601    6.47   1.49700    81.5    0.537     50.27 
24       -111.357   (可変)      1                        50.18 
25         46.081    8.32   1.59522    67.7    0.544     40.45 
26       -124.812    0.20       1                        39.50 
27*      -501.910    1.50   1.77250    49.6    0.552     38.22 
28         42.820    5.95   1.59522    67.7    0.544     35.50 
29      -1544.032   (可変)      1                        34.67 
30（絞り）   ∞      2.50       1                        26.80 
31        419.535    1.50   1.88300    40.8    0.567     24.54 
32         20.890    6.13   1.59270    35.3    0.593     22.46 
33        -60.481    0.20       1                        21.88 
34        179.535    1.50   1.88300    40.8    0.567     20.70 
35         22.961    2.83   1.59270    35.3    0.593     19.20 
36         43.649   (可変)      1                        18.55 
37        -46.325    1.50   1.88300    40.8    0.567     16.97 
38         30.804    0.19       1                        17.74 
39         30.298    8.49   1.90200    25.1    0.612     18.05 
40        -24.205    1.50   1.88300    40.8    0.567     19.05 
41         44.431    0.20       1                        19.90 
42         43.111    8.80   1.90200    25.1    0.612     20.12 
43        -23.204    1.50   1.88300    40.8    0.567     20.98 
44       -465.424   (可変)      1                        21.59 
45         63.753    9.15   1.53172    48.8    0.563     25.51 
46        -30.204    1.50   1.95906    17.5    0.660     25.62 
47        265.006    0.20       1                        26.65 
48         81.130   11.25   1.53172    48.8    0.563     27.22 
49        -22.624    1.50   2.00069    25.5    0.613     28.36 
49        -32.035               1                        29.83
像面        ∞
非球面データ
第11面
K = 0.00000e+000  A 4= 2.75353e-007  A 6= 3.02546e-009  A 8=-1.06060e-012  
A10= 5.96220e-016  A12= 1.32585e-017  
第18面
K = 0.00000e+000  A 4= 2.39451e-006  A 6= 4.92546e-009  A 8=-5.31559e-012  
A10= 2.13618e-014  A12=-2.52662e-017  
第23面
K = 0.00000e+000  A 4=-1.37983e-006  A 6=-6.20527e-011  A 8=-9.11035e-014  
A10= 1.12042e-016  A12=-5.38905e-020  
第27面
K = 0.00000e+000  A 4=-1.47405e-006  A 6= 3.26162e-010  A 8=-7.13011e-013  
A10= 1.37927e-015  A12=-1.17278e-018  
各種データ
ズーム比     30.00 
広角     中間     望遠
焦点距離      50.00   235.28  1500.08  
Fナンバー      4.60     5.54    11.00  
半画角        17.28     3.78     0.59  
像高          15.55    15.55    15.55  
レンズ全長   489.99   489.99   489.99  
BF            55.04    55.04    55.04  
d10           13.72   107.39   146.65  
d18          163.52    77.71     1.50  
d24           30.43    12.15    62.84  
d29            6.08    16.51     2.76  
d36            8.83    13.45    18.05  
d44           13.81     9.19     4.58  
入射瞳位置   143.85   761.42   6095.67  
射出瞳位置  -108.71  -104.27    -99.07  
前側主点位置 178.58   649.23  -7005.71  
後側主点位置   5.04  -180.24  -1445.04  
ズームレンズ群データ
群  始面    焦点距離  レンズ構成長  前側主点位置  後側主点位置
1    1     215.00        78.63        33.47        -23.24
2   11     -30.50        25.21         7.97        -13.20
3   19      92.50        18.31         4.85         -7.92
4   25      80.00        15.97        -0.45        -10.39
5   30     -41.61        14.66         7.22         -2.41
6   37     -84.96        22.18        -4.77        -17.42
7   45     122.03        23.60        15.00         -0.97
【０１０５】
＜数値実施例３＞
面データ
面番号       r        d        nd        vd     θgF    有効径 
1         325.971   17.57   1.43387    95.1    0.537    154.54 
2        -568.604    0.20       1                       153.98 
3       -1282.089    4.50   1.72916    54.7    0.544    152.74 
4         149.967    1.24       1                       148.21 
5         151.129   25.29   1.43387    95.1    0.537    148.99 
6       -1056.531    0.20       1                       149.06 
7         157.076   19.32   1.43387    95.1    0.537    148.52 
8        1420.021    0.20       1                       147.66 
9         153.185   15.72   1.43387    95.1    0.537    140.93 
10        530.876   (可変)      1                       139.03 
11*     -2110.402    1.50   1.53715    74.8    0.539     54.69 
12         36.878   11.83       1                        44.30 
13        -60.009    1.50   1.53715    74.8    0.539     43.96 
14         69.996   10.45       1                        40.77 
15        -33.492    1.50   1.49700    81.5    0.537     40.64 
16        396.944    0.50       1                        43.69 
17         80.029    7.31   1.65412    39.7    0.574     45.56 
18*       -79.594   (可変)      1                        45.70 
19       -398.779    5.49   1.49700    81.5    0.537     44.33 
20        -62.703    0.20       1                        44.66 
21        -76.160    1.50   1.80000    29.8    0.602     44.54 
22       -126.012    0.20       1                        45.10 
23*        81.980    5.81   1.49700    81.5    0.537     45.47 
24       -295.826   (可変)      1                        45.26 
25         44.839    9.32   1.49700    81.5    0.537     40.21 
26        -80.132    0.20       1                        39.42 
27*      -153.439    1.50   1.75500    52.3    0.548     38.19 
28         33.345    8.46   1.53715    74.8    0.539     35.50 
29       -118.139   (可変)      1                        35.06 
30（絞り）   ∞      2.50       1                        26.60 
31        116.450    1.50   1.88300    40.8    0.567     24.61 
32         24.277    5.54   1.59270    35.3    0.593     23.00 
33        -78.598    2.88       1                        22.41 
34         54.657    1.50   1.88300    40.8    0.567     19.10 
35         19.348    2.93   1.59270    35.3    0.593     17.58 
36         39.946   (可変)      1                        16.79 
37        -92.221    1.50   1.88300    40.8    0.567     17.82 
38         15.552    9.27   1.73800    32.3    0.590     18.60 
39        -19.441    1.50   1.88300    40.8    0.567     19.68 
40        107.458   (可変)      1                        21.42 
41         47.823    9.64   1.51633    64.1    0.535     27.16 
42        -24.451    1.50   1.80100    35.0    0.586     28.28 
43        -70.425   (可変)      1                        30.47 
44        -57.406    8.42   1.51633    64.1    0.535     31.05 
45        -19.631    1.50   1.88300    40.8    0.567     32.24 
46        -24.894               1                        34.81
像面        ∞
非球面データ
第11面
K = 0.00000e+000  A 4= 1.94028e-006  A 6= 7.10594e-010  A 8=-1.83362e-014  A10=-7.41737e-016  A12= 1.35705e-018  
第18面
K = 0.00000e+000  A 4= 2.42039e-006  A 6= 1.53190e-009  A 8= 3.41256e-015  A10=-4.43154e-016  A12= 8.63563e-020  
第23面
K = 0.00000e+000  A 4=-9.39998e-007  A 6=-2.28421e-010  A 8= 1.12582e-013  A10=-3.57621e-016  A12= 2.11600e-019  
第27面
K = 0.00000e+000  A 4=-1.17680e-006  A 6= 7.27987e-011  A 8= 1.30137e-012  A10=-4.16892e-015  A12= 3.88728e-018  
各種データ
ズーム比     20.00 
広角     中間     望遠
焦点距離      40.00   601.20   800.07  
Fナンバー      4.60     5.46     5.34  
半画角        28.42     2.06     1.55  
像高          21.65    21.65    21.65  
レンズ全長   471.81   471.81   471.81  
BF            50.09    50.09    50.09  
d10            2.63   145.88   151.10  
d18          160.13    16.03     1.50  
d24           39.49    19.13    30.52  
d29            2.00    23.21    21.12  
d36            6.46     7.89     9.87  
d40            1.89     3.45     4.43  
d43            7.44     4.46     1.49  
入射瞳位置   117.51   2011.46   2761.84  
射出瞳位置   -83.63    -84.15    -82.81  
前側主点位置 145.54    -79.91  -1254.72  
後側主点位置  10.09   -551.11   -749.98  
ズームレンズ群データ
群  始面    焦点距離  レンズ構成長  前側主点位置  後側主点位置
1    1     227.00        84.23        36.23        -23.29
2   11     -32.20        34.60         4.45        -27.57
3   19      97.00        13.19         6.07         -2.68
4   25      97.00        19.48         1.78        -11.41
5   30    -102.12        16.86        14.97          2.56
6   37     -27.32        12.27         3.03         -3.56
7   41      95.00        11.14         0.77         -6.53
8   44     105.65         9.92        13.17          7.71
【０１０６】
＜数値実施例４＞
面番号       r        d        nd        vd      θgF    有効径 
1         338.492   13.36    1.43387    95.1    0.537    145.09 
2       -1056.352    0.20       1                        144.58 
3        9766.859    4.50    1.72916    54.7    0.544    143.68 
4         152.001    0.28       1                        139.81 
5         150.359   22.32    1.43387    95.1    0.537    140.08 
6       -1220.081    0.20       1                        140.04 
7         162.878   16.33    1.43387    95.1    0.537    138.78 
8        1342.727    0.20       1                        138.01 
9         146.736   13.34    1.43387    95.1    0.537    132.70 
10        440.765   (可変)      1                        131.37 
11*       540.975    1.50    1.53715    74.8    0.539     55.04 
12         31.782   12.98       1                         43.73 
13        -60.783    1.50    1.49700    81.5    0.537     43.44 
14         69.516   10.72       1                         40.42 
15        -31.884    1.50    1.49700    81.5    0.537     40.29 
16       -235.525    0.20       1                         43.17 
17         86.044    6.51    1.65412    39.7    0.574     45.15 
18*       -94.646   (可変)      1                         45.23 
19       -252.124    4.63    1.49700    81.5    0.537     41.72 
20        -64.746    0.20       1                         42.09 
21        -68.342    1.50    1.80000    29.8    0.602     42.06 
22       -147.364    0.20       1                         42.88 
23*       103.732    7.01    1.49700    81.5    0.537     43.69 
24        -80.576   (可変)      1                         43.77 
25         48.169   10.36    1.43875    94.9    0.534     39.51 
26        -72.455    0.20       1                         38.41 
27*      -216.225    1.50    1.77250    49.6    0.552     37.04 
28         55.197    8.32    1.49700    81.5    0.537     35.50 
29        -84.294   (可変)      1                         34.73 
30（絞り）   ∞      2.50       1                         26.77
31        994.325    1.50    1.88300    40.8    0.567     25.01 
32         30.855    5.29    1.59270    35.3    0.593     23.65 
33        -76.667    3.38       1                         23.08 
34        658.519    1.50    1.88300    40.8    0.567     20.20 
35         29.537    2.46    1.59270    35.3    0.593     19.13 
36         49.517   (可変)      1                         18.61 
37      -2522.380    1.50    1.88300    40.8    0.567     24.36 
38         21.246    8.22    1.80000    29.8    0.602     25.19 
39        -39.806    1.50    1.81600    46.6    0.557     25.64 
40         42.560    0.30       1                         26.97 
41         39.767    8.32    1.80000    29.8    0.602     27.71 
42        -26.870    1.50    1.81600    46.6    0.557     28.08 
43        413.934   (可変)      1                         29.23 
44       -479.321    4.06    1.53172    48.8    0.563     29.83 
45        -47.418    1.50    1.95906    17.5    0.660     30.37 
46       -317.270    0.20       1                         31.74 
47         85.998    7.74    1.53172    48.8    0.563     33.24 
48        -35.508    1.50    1.95906    17.5    0.660     33.74 
49        -48.932               1                         34.87
像面        ∞
非球面データ
第11面
K = 0.00000e+000  A 4= 2.19810e-006  A 6=-2.03032e-010  A 8= 1.21450e-013  A10=-2.76399e-016  A12= 7.66068e-019  
第18面
K = 0.00000e+000  A 4= 2.49248e-006  A 6= 9.08308e-010  A 8=-2.33699e-013  A10=-1.57605e-016  A12= 3.40961e-019  
第23面
K = 0.00000e+000  A 4=-1.45934e-006  A 6=-1.88905e-010  A 8= 3.64285e-013  A10=-7.88409e-016  A12= 5.55245e-019  
第27面
K = 0.00000e+000  A 4=-1.75300e-006  A 6=-1.43359e-011  A 8= 1.63304e-012  A10=-5.29419e-015  A12= 5.33797e-018  
各種データ
ズーム比     20.00 
広角     中間     望遠
焦点距離      40.00   545.54   800.08  
Fナンバー      4.60     5.43     5.60  
半画角        28.42     2.27     1.55  
像高          21.65    21.65    21.65  
レンズ全長   455.67   455.67   455.67  
BF            55.00    55.00    55.00  
d10            2.00   141.66   151.95  
d18          148.92    13.65     1.50  
d24           31.95    11.84    21.44  
d29            2.00    17.73     9.98  
d36            5.21    13.75    22.28  
d43           18.07     9.53     1.00  
入射瞳位置   105.80   1646.70   2601.65  
射出瞳位置   -88.14    -83.03    -76.78  
前側主点位置 134.62     36.04  -1455.66  
後側主点位置  15.00   -490.54   -745.08  
ズームレンズ群データ
群  始面    焦点距離  レンズ構成長  前側主点位置  後側主点位置
1    1     223.00        70.72        27.97        -21.67
2   11     -32.70        34.91         4.59        -27.63
3   19      96.00        13.55         8.00         -0.96
4   25      83.00        20.38         4.82         -9.65
5   30     -45.70        16.62        10.01         -1.97
6   37    -166.63        21.34         3.54         -8.20
7   44     145.17        14.99        13.10          4.00
【０１０７】
【表１】
2015212726.tif 000004
【０１０８】
【表２】
2015212726.tif 000005
【０１０９】
【表３】
2015212726.tif 000006
【０１１０】
【表４】
2015212726.tif 000007
【０１１１】
【表５】
2015212726.tif 000008
【符号の説明】
【０１１２】
Ｕ１    ：  第１レンズ群
Ｕ２    ：  第２レンズ群
Ｕ３    ：  第３レンズ群
Ｕ４    ：  第４レンズ群
Ｕ５    ：  第５レンズ群
Ｕ５１  ：  第５１レンズ群
Ｕ５２  ：  第５２レンズ群
Ｕ５３  ：  第５３レンズ群
Ｕ５３  ：  第５４レンズ群
ＳＰ    ：  開口絞り
１０１  ：  ズームレンズ
Ｆ      ：  第１レンズ群
ＬＺ    ：  変倍レンズ群
Ｒ      ：  後レンズ群
【図１】
2015212726.tif 000009
【図２】
2015212726.tif 000010
【図３】
2015212726.tif 000011
【図４】
2015212726.tif 000012
【図５】
2015212726.tif 000013
【図６】
2015212726.tif 000014
【図７】
2015212726.tif 000015
【図８】
2015212726.tif 000016
【図９】
2015212726.tif 000017
【図１０】
2015212726.tif 000018
【図１１】
2015212726.tif 000019
【図１２】
2015212726.tif 000020
【図１３】
2015212726.tif 000021
【図１４】
2015212726.tif 000022
【図１５】
2015212726.tif 000023
【図１６】
2015212726.tif 000024